【手続補正書】
【提出日】平成20年6月25日(2008.6.25)
【手続補正１】
【補正対象書類名】明細書
【補正対象項目名】特許請求の範囲
【補正方法】変更
【補正の内容】
【特許請求の範囲】
【請求項１】  筒状のケーシングと該ケーシング内に配置されるオーガとを有し、前記ケーシングと前記オーガとがそれぞれ軸方向に沿って連結される複数の互いに着脱自在な分割ケーシングと分割オーガとからなる掘削装置において、前記分割ケーシングおよび前記分割オーガの接続および分離に用いられる掘削装置の分割接続装置であって、
前記分割ケーシングと該分割ケーシング内に配置される分割オーガとを相対的に移動できないように保持する第一の治具部と、
互いに接続される二つの前記分割ケーシングをほぼ同軸上に互いに離間した状態に保持する第二の治具部との少なくとも一方を備えることを特徴とする掘削装置の分割接続装置。
【請求項２】  請求項１記載の分割接続装置において、
前記第一の治具部と前記第二の治具部とを備えることと特徴とする分割接続装置。
【請求項３】  請求項２記載の掘削装置の分割接続装置を用いた掘削装置の組立方法であって、
前記掘削装置は、前記ケーシングに対して相対的に前記オーガを軸方向に沿って移動させる駆動手段を備え、
前記駆動手段に第一の分割ケーシングと該第一の分割ケーシング内に配置された第一の分割オーガとを接続した状態で、第一の分割ケーシングと該第一の分割ケーシングに接続される第二の分割ケーシングとを前記第二の治具部により互いに離間した状態でそれ以上離れないように保持するとともに、
前記第二の分割ケーシング内に第二の分割オーガを前記第一の治具部により第二の分割ケーシングに相対的に移動させないように保持した状態に配置し、
前記駆動手段により、第一の分割ケーシングに対して第一の分割オーガを第二の分割オーガに向って相対的に移動させて、第一の分割オーガと第二の分割オーガとを接続することを特徴とする掘削装置の組立方法。
【請求項４】  請求項３記載の掘削装置の組立方法において、
第一の分割オーガと第二の分割オーガとを接続した後に、第一および第二の分割ケーシングから第二の治具部を取外し、前記駆動手段により、第一の分割ケーシングを第二の分割ケーシングに向って相対的に移動させて、第一の分割ケーシングと第二の分割ケーシングとを接続することを特徴とする掘削装置の組立方法。
【請求項５】  請求項２記載の掘削装置の分割接続装置を用いた掘削装置の分割方法であって、
前記掘削装置は、前記ケーシングに対して相対的に前記オーガを軸方向に沿って移動させる駆動手段を備え、
前記駆動手段に前記ケーシングおよび前記オーガが接続された状態で、前記駆動手段側の第一の分割ケーシングと、該第一の分割ケーシングの前記駆動手段の反対側に接続された第二の分割ケーシングとの接続を解除するとともに、第二の分割ケーシングと該第二の分割ケーシング内の第二の分割オーガとを第一の治具部で、相対的に移動させないように保持した状態で、前記駆動手段により、前記オーガに対して前記ケーシングを軸方向に沿って前記駆動手段に近づける方向に相対的に移動させることで、第一の分割ケーシングと第二の分割ケーシングとを引き離すことを特徴とする掘削装置の分割方法。
【請求項６】  請求項５記載の掘削装置の分割方法において、
第一の分割ケーシングと第二の分割ケーシングとを引き離した後に、第一の分割ケーシング内の第一の分割オーガと第二の分割ケーシング内の第二の分割オーガとの接続を解除するとともに、引き離された第一の分割ケーシングと第二の分割ケーシングとを第二の治具部により互いに近づかないように離間した状態に保持し、
次いで、前記駆動手段により前記オーガに対して前記ケーシングを駆動手段から離れるように相対的に移動させることで、前記第一の分割オーガと前記第二の分割オーガとを引き離すことを特徴とする掘削装置の分割方法。
【手続補正２】
【補正対象書類名】明細書
【補正対象項目名】０００６
【補正方法】変更
【補正の内容】
【０００６】
【課題を解決するための手段】
請求項１記載の発明は、例えば、図１に示すように、
筒状のケーシング（４）と該ケーシング内に配置されるオーガ（オーガスクリュー１０）とを有し、前記ケーシングと前記オーガとがそれぞれ軸方向に沿って連結される複数の互いに着脱自在な分割ケーシング（上部分割ケーシング５、下部分割ケーシング６）と分割オーガ（上部分割オーガスクリュー１１、下部分割オーガスクリュー１２）とからなる掘削装置（ケーシングオーガ１）において、前記分割ケーシングおよび前記分割オーガの接続および分離に用いられる掘削装置の分割接続装置であって、
前記分割ケーシングと該分割ケーシング内に配置される分割オーガとを相対的に移動できないように保持する第一の治具部（第一ブラケット２０）と、
互いに接続される二つの前記分割ケーシングをほぼ同軸上に互いに離間した状態に保持する第二の治具部（第二ブラケット３０）との少なくとも一方を備えることを特徴としている。
請求項２記載の発明は、請求項１記載の分割接続装置において、
前記第一の治具部と前記第二の治具部とを備えることと特徴としている。
【手続補正３】
【補正対象書類名】明細書
【補正対象項目名】０００７
【補正方法】変更
【補正の内容】
【０００７】
請求項１，２記載の発明によれば、掘削装置の分割接続装置には、分割ケーシングと該分割ケーシング内に配置される分割オーガとを相対的に移動できないように保持する第一の治具部と、互いに接続される二つの前記分割ケーシングをほぼ同軸上に互いに離間した状態に保持する第二の治具部とが備えられているので、該分割接続装置を、ケーシングに対して相対的にオーガを軸方向に沿って移動させる駆動手段が備えられた掘削装置に適応させると、分割ケーシングおよび分割オーガの分割／接続が、駆動手段の動作に関連づけて行うことが可能となる。つまり、従来のように重機やレバーブロックなどを用いなくとも、分割ケーシングおよび分割オーガの分割接続作業を短時間で行うことができる。
ここで、第一の治具部と、第二の治具部は、それぞれが別個に形成されていてもよいし、一個の部材がその両者の機能を兼ね備えるように形成されていてもよい。また、一個の部材がその両者の機能を兼ね備えるように形成されている場合には、各機能を備える部分がそれぞれ着脱可能に分割される構成であってもよい。
【手続補正４】
【補正対象書類名】明細書
【補正対象項目名】図面の簡単な説明
【補正方法】変更
【補正の内容】
【図面の簡単な説明】
【図１】
ケーシングオーガの分割方法を説明する図である。
【図２】
前記分割組立方法に用いられる第一ブラケットを表わす図である。
【図３】
前記分割組立方法に用いられる第二ブラケットを表わす図である。
【図４】
図１のケーシングオーガの組立方法を説明する図である。
【図５】
図１の第一工程時および図２の第一工程時の第一ブラケットの取付位置を表わす図である。
【図６】
図１の第二工程時および図２の第三工程時の第一ブラケットの取付位置を表わす図である。
【図７】
従来のケーシングオーガの分割接続作業工程を説明する図である。
【符号の説明】
１  ケーシングオーガ（掘削装置）
２  駆動部（駆動手段）
４  ケーシング
５  上部分割ケーシング（分割ケーシング、第一の分割ケーシング）
６  下部分割ケーシング（分割ケーシング、第二の分割ケーシング）
１０  オーガスクリュー（オーガ）
１１  上部分割オーガスクリュー（分割オーガ、第一の分割オーガ）
１２  下部分割オーガスクリュー（分割オーガ、第二の分割オーガ）
２０  第一ブラケット（第一の治具部）
３０  第二ブラケット（第二の治具部）